(57)【要約】【課題】くさびによる緊結およびその解除を行う際に打音の発生しないくさび緊結式足場における緊結装置を提供する。【解決手段】緊結装置１０は、支柱Ｐ１の側部に固設され、該側部との間に上下方向に延びる貫通空間Ｓを形成するソケット金具１１の当該貫通空間Ｓに差し込まれる差込金具１２と、差込金具１２に昇降自在に保持され、降下時に支柱Ｐ１の側部と差込金具１２との間に圧入されるくさび部材１３と、くさび部材１３に形成され、圧入方向へ並ぶ複数のラック歯２６と、差込金具１２に回転可能に支持されるとともにラック歯２６と噛み合い、該ラック歯２６を介してくさび部材１３を昇降させるピニオン２７と、を備える。【選択図】図３
2018009349.tif 000002
【特許請求の範囲】
【請求項１】
支柱の側部に固設され、該側部との間に上下方向に延びる貫通空間を形成するソケット金具の当該貫通空間に差し込まれる差込金具と、前記差込金具に昇降自在に保持され、降下時に前記支柱の側部と前記差込金具との間に圧入されるくさび部材と、を備えるくさび緊結式足場における緊結装置であって、
前記くさび部材に形成され、圧入方向へ並ぶ複数のラック歯と、
前記差込金具に回転可能に支持されるとともに前記ラック歯と噛み合い、該ラック歯を介して前記くさび部材を昇降させるピニオンと、を備えることを特徴とするくさび緊結式足場における緊結装置。
【請求項２】
前記ピニオンを回転させる操作レバーを備える、請求項１に記載のくさび緊結式足場における緊結装置。
【請求項３】
前記くさび部材は、その上面から下方に延びるとともに内壁の一部に前記ラック歯が形成された凹部を有し、該凹部内に前記ピニオンが配置されている、請求項１または２に記載のくさび緊結式足場における緊結装置。
【請求項４】
前記くさび部材の降下時に前記差込金具と前記ソケット金具を相互にロックするロック手段を備える、請求項１から３までのいずれか一項に記載のくさび緊結式足場における緊結装置。
【発明の詳細な説明】
【技術分野】
【０００１】
本発明は、建設工事などで仮設足場として使用される鋼管足場の支柱（建地）と布地や腕木、手摺棒、斜材などの足場用部材とを連結するくさび緊結式足場における緊結装置に関する。
【背景技術】
【０００２】
従来、この種のくさび緊結式足場の緊結装置として、下記特許文献１には、縦長板状のくさびと、該くさびが上下動自在に挿入されているくさび案内部材とを備える緊結装置が開示されており、この緊結装置では、くさび案内部材を支柱の所定高さ外周に固着された受け金具内に挿入し、くさび案内部材から突出するくさびをハンマーで上から叩き込むことにより、くさび案内部材を受け金具に緊結させることができ、くさび案内部材の下端から突出するくさびをハンマーで下から叩き上げることでくさび案内部材と受け金具との緊結を解除することができる。
【先行技術文献】
【特許文献】
【０００３】
【特許文献１】特開２００８−２８０７４２号公報
【発明の概要】
【発明が解決しようとする課題】
【０００４】
このように、従来の緊結装置では、係止金具を受け金具に係止させる際あるいはそれを解除する際に、ハンマーでくさびを叩き込むあるいは叩き上げる必要があって、その都度、大きな打音（高い金属音）が発生し、この衝撃音が騒音となって近隣住民に不快感を与える場合もあり、その対策、改善が望まれている。
【０００５】
本発明の目的は、くさびによる緊結およびその解除を行う際に打音の発生しないくさび緊結式足場における緊結装置を提供することにある。
【課題を解決するための手段】
【０００６】
本発明は、支柱の側部に固設され、該側部との間に上下方向に延びる貫通空間を形成するソケット金具の当該貫通空間に差し込まれる差込金具と、前記差込金具に昇降自在に保持され、降下時に前記支柱の側部と前記差込金具との間に圧入されるくさび部材と、を備えるくさび緊結式足場における緊結装置であって、前記くさび部材に形成され、圧入方向へ並ぶ複数のラック歯と、前記差込金具に回転可能に支持されるとともに前記ラック歯と噛み合い、該ラック歯を介して前記くさび部材を昇降させるピニオンと、を備えることを特徴とするものである。
【０００７】
本発明のくさび緊結式足場における緊結装置にあっては、前記ピニオンを回転させる操作レバーを備えることが好ましい。
【０００８】
また、本発明のくさび緊結式足場における緊結装置にあっては、前記くさび部材は、その上面から下方に延びるとともに内壁の一部に前記ラック歯が形成された凹部を有し、該凹部内に前記ピニオンが配置されていることが好ましい。
【０００９】
さらに、本発明のくさび緊結式足場における緊結装置にあっては、前記くさび部材の降下時に前記差込金具と前記ソケット金具を相互にロックするロック手段を備えることが好ましい。
【発明の効果】
【００１０】
本発明のくさび緊結式足場における緊結装置によれば、差込金具をソケット金具の貫通空間に差し込み、ピニオンを回転させると、該ピニオンがラック歯を介してくさび部材を下降させるとともに該くさび部材を支柱の側部と差込金具との間に圧入させるので、差込金具が支柱とソケット金具との間に緊結される。また、ピニオンを逆方向に回転させると、ピニオンがラック歯を介してくさびを上昇させるので、差込金具とソケット金具との緊結は解除される。
【００１１】
したがって、本発明によれば、ハンマーで叩くこと無しにくさび部材による緊結およびその解除が可能で、静穏な緊結装置を提供することができる。
【図面の簡単な説明】
【００１２】
【図１】本発明の一実施形態に係るくさび緊結式足場における緊結装置を用いて支柱と足場用部材とを連結した様子を示す斜視図である。
【図２】支柱に取り付けられたソケット金具を示し、（ａ）は平面図、（ｂ）は側面図である。
【図３】足場用部材の端部に取り付けられた差込金具を示し、（ａ）は平面図、（ｂ）は（ａ）中のＡ−Ａ線に沿う断面図である。
【図４】図３（ｂ）中のＢ−Ｂ線に沿う断面図である。
【図５】図３（ｂ）に対応する断面図であり、（ａ）は緊結前の様子を、（ｂ）は緊結後の様子をそれぞれ示すものである。
【図６】本発明の他の実施形態に係るくさび緊結式足場における緊結装置を示す、図３（ｂ）と同様の位置での断面図である。
【図７】本発明の他の実施形態に係るくさび緊結式足場における緊結装置を一部省略して示す断面図であり、（ａ）は緊結前の様子を、（ｂ）は緊結後の様子をそれぞれ示すものである。
【図８】本発明の他の実施形態に係るくさび緊結式足場における緊結装置を一部省略して示す断面図であり、（ａ）は緊結前の様子を、（ｂ）は緊結後の様子をそれぞれ示すものである。
【発明を実施するための形態】
【００１３】
以下、図面に基づいて本発明の実施の形態を詳細に説明する。ここで図１は、本発明の一実施形態に係るくさび緊結式足場における緊結装置を用いて支柱と足場用部材とを連結した様子を示す斜視図であり、図２は、支柱に取り付けられたソケット金具を示し、（ａ）は平面図、（ｂ）は側面図であり、図３は、足場用部材の端部に取り付けられた差込金具を示し、（ａ）は平面図、（ｂ）は（ａ）中のＡ−Ａ線に沿う断面図であり、図４は、図３（ｂ）中のＢ−Ｂ線に沿う断面図である。
【００１４】
なお、以下の説明において、「前」というときには、支柱と該支柱に連結される足場用部材との関係において支柱のある側を指し、「後」というときには、支柱と足場用部材との関係において足場用部材のある側を指すものとする。また、「右」、「左」というときには、上記「前」および「後」との関係において右、左を指すものとする。さらに、支柱が地面等に垂直に設置されることを想定し、「上」というときには天側を指し、「下」というときには地面側を指す。
【００１５】
図１では、垂直に設置された支柱Ｐ１に、本実施形態の緊結装置１０を用いて腕木や手摺棒、布材、斜材、張出ブラケットなどの足場用部材Ｐ２が連結された状態が示されている。支柱Ｐ１には、当該支柱Ｐ１の側部との間に上下方向に延びる貫通空間Ｓを区画する１つ又は複数個のソケット金具１１が予め固設されており、その貫通空間Ｓ内に緊結装置１０の差込金具１２がくさび部材１３とともに挿入されている。
【００１６】
ソケット金具１１の一例を図２に示しておくと、図２（ａ）に示すように、ソケット金具１１は金属板を平面視で略コ字状またはＵ字状に折り曲げ成形してなり、支柱Ｐ１の側面に対向する中央壁１１ａと、該中央壁１１ａの左右両端縁から支柱Ｐ１に向けて延出し、その前縁が支柱Ｐ１の側面に溶接された一対の側壁１１ｂ，１１ｃとを有している。ソケット金具１１の内側には、支柱Ｐ１の側面との間に、支柱Ｐ１の軸方向（上下方向）に延びる貫通空間Ｓが区画されている。また、図２（ｂ）に示すように、ソケット金具１１の中央壁１１ａは、支柱Ｐ１の側面との距離（内部寸法）が下方に向かうにつれて狭くなるよう所定の斜度で傾斜している。
【００１７】
差込金具１２は、図３（ａ）に示すように、平面視で略コ字状または略Ｕ字状に形成され、ソケット金具１１の貫通空間Ｓ内に差し込まれた際にソケット金具１１の中央壁１１ａに当接する当接壁１２ａと、当該当接壁１２ａの左右両端縁から前方に向けて延出してソケット金具の側壁１１ｂ，１１ｃと対向する一対の側壁１２ｂ，１２ｃとを有し、当接壁１２ａと一対の側壁１２ｂ，１２ｃとで囲まれた空間をくさび部材１３の収容空間とするものである。差込金具１２は、足場用部材Ｐ２の端部に形成された切欠き内にその開放側を前方に向けるようにして配置され、溶接により当該足場用部材Ｐ２に固定されている。図３（ｂ）に示すように、差込金具１２は、足場用部材Ｐ２の直径よりも大きな上下方向長さを有し、その下端部は足場用部材Ｐ２よりも下方に突出している。また、差込金具１２の当接壁１２ａは、ソケット金具１１の中央壁１１ａと平行をなすよう下方に向けて前方に傾斜している。
【００１８】
くさび部材１３は、図３（ｂ）に示すように、全体として下方に先細り形状に形成されるとともに差込金具１２内に昇降自在に保持され、差込金具１２内で下方に降下された際、支柱Ｐ１の側面と差込金具１２の中央壁１２ａとの間に圧入されるようになっており、これにより差込金具１２の当接壁１２ａがソケット金具１１の中央壁１１ａに緊合される。
【００１９】
くさび部材１３は、その前方側の面に、くさび部材１３の降下時に支柱Ｐ１の側面に圧接される垂直面１３ａと、当該垂直面１３ａの下方に連設され、差込金具１２をソケット金具１１に挿入し易いように僅かに後方に傾斜させられた案内面１３ｂとを有し、その後方側の面に、差込金具１２の当接壁１２ａに沿ってそれぞれ傾斜してくさび部材１３の降下時に当該当接壁１２ａにそれぞれ圧接される上側傾斜面１３ｃおよび下側傾斜面１３ｄを有しており、また、上側傾斜面１３ｃの下方には、前方に向けて僅かに段下がりに形成され、くさび部材１３の降下時に後述する板バネ１９を差込金具１２の当接壁１２ａに押し付ける押圧面１３ｅが連設され、さらに押圧面１３ｅの下方であって下側傾斜面の上方には、当該板バネ１９に設けられた抜け止めピン２０を収容する凹所２２が形成されている。
【００２０】
くさび部材１３の上部には、下方に延びる矩形切欠き状の凹部２３が形成されており、当該凹部２３を区画する前面２３ａ、後面２３ｂおよび底面２３ｃのうち後面２３ｂには、上下方向へ並ぶ複数のラック歯２６が設けられている。凹部２３内には、ラック歯２６と噛合する複数の突出歯を有するピニオン２７が配設されている。ピニオン２７は、左右方向に延びる軸部２８にキーおよびキー溝を介して相対回動不能に支持されている。図４に示すように、軸部２８は差込金具１２の両側壁１２ｂ，１２ｃに相対回動可能に支持されるとともに一方の端部が差込金具１２の側壁１２ｃ外に延出し、当該一方の端部には回転操作用の操作レバー３０が取り付けられている。なお、操作レバー３０に代えて、当該端部を角柱状に形成しておき、ラチェットレンチ等の工具により軸部２８を回転させるようにしてもよい。
【００２１】
また、くさび部材１３の上面には凹部２３を覆うカバー板３１が固設されており、カバー板３１の左右方向の長さは、くさび部材１３が過度に降下しようとした場合に差込金具１２の上端面に当接してそれ以上の降下を阻止するよう差込金具１２の側壁１２ｂ，１２ｃ間の距離よりも大きく設定されている。
【００２２】
図３（ｂ）に示すように、本実施形態の緊結装置１０はさらに、くさび部材１３の降下時に差込金具１２とソケット金具１１とを相互にロックして差込金具１２の、ソケット金具１１からの抜け出しを阻止するロック手段を備えており、図示例においてロック手段は、ソケット金具１１の中央壁１１ａに形成された貫通穴ｈ１（図１参照）および差込金具１２の当接壁１２ａに形成された貫通穴ｈ２に挿脱自在な抜け止めピン２０と、この抜け止めピン２０を凹所２２に向けて付勢する一方、くさび部材１３の降下時にくさび部材１３の押圧面１３ｅに押されて抜け止めピン２０を両貫通穴ｈ１，ｈ２に挿入させる板バネ１９とからなる。板バネ１９の上端部は差込金具１２の当接壁１２ａに形成されたスリットｓを通って背面側に通され、当該背面に例えばリベット等により固定されている。
【００２３】
次に本実施形態の緊結装置１０の使用例について図５を参照して説明する。まず、図５（ａ）は、足場用部材Ｐ２に取り付けられた差込金具１２をソケット金具１１に差し込んだ直後の様子を示している。
【００２４】
この状態から、図５（ｂ）に示すように使用者が操作レバー３０を回転させると、ピニオン２７がラック歯２６を介してくさび部材１３を降下させ、くさび部材１３は支柱Ｐ１と差込金具１２の当接壁１２ａとの間に圧入され、その結果、差込金具１２は支柱Ｐ１とソケット金具１１との間に緊結される。このとき、板バネ１９がくさび部材１３の押圧面１３ｅに押されることにより、抜け止めピン２０は差込金具１３の貫通穴ｈ２およびソケット金具１１の貫通穴ｈ１に入り込み、差込金具１２とソケット金具１１の緊結状態はロックされる。
【００２５】
足場を解体する場合には、使用者は操作レバー３０を反対方向に回転させればよく、これによりピニオン２７およびラック歯２６を介してくさび部材１３が上昇し、抜け止めピン２０が板バネ１９に付勢されて元の位置（凹所２２内）に戻るとともに、差込金具１２とソケット金具１１の緊結は解除される。
【００２６】
以上説明したように、本実施形態の緊結装置１０によれば、ハンマーで叩くこと無しにくさび部材１３による緊結およびその解除が可能であり、打撃音に起因した騒音の問題を改善することができる。
【００２７】
なお、本発明は上述の実施形態のものに限定されず、特許請求の範囲の記載内で種々の修正、変更、追加が可能である。例えば、前述の実施形態では、ロック手段を、抜け止めピン２０を有する板バネ１９で構成する例について説明したが、これに限定されず、図６に示すようにリンク式としてもよい。具体的には、リンク式のロック手段は、抜け止めピン３３と、抜け止めピン３３をくさび部材１３に連結、支持するとともに、くさび部材１３の降下に伴って抜け止めピン３３を差込金具１２の貫通穴ｈ２およびソケット金具１１の貫通穴ｈ１内に進出させ、くさび部材１３の上昇に伴って当該抜け止めピン３３をこれらの貫通穴ｈ１，ｈ２から引き出すリンク機構３４とを有する。
【００２８】
また、他の実施形態におけるロック手段は、図７に示すように、貫通穴ｈ１，ｈ２に挿脱される抜け止めピン３６と、当該抜け止めピン３６をくさび部材１３に向けて付勢するコイルバネ３７とから構成されるものでもよい。
【００２９】
あるいは、ロック手段は、図８に示すように、差込金具１２の下端部に振り子状に支持され、くさび部材１３の下降に伴い差込金具１２およびソケット金具１１の下端縁に係止する錘体３８から構成されるものでもよい。
【００３０】
また、前述の実施形態では、くさび部材１３の凹部２３の後面２３ｂにラック歯２６を形成すると説明したが、ラック歯２６は凹部２３の前面２３ａに形成してもよく（図示省略）、あるいは凹部２３の前面２３ａおよび後面２３ｂのそれぞれにラック歯２６を設けるとともに凹部２３内にこれらのラック歯２６と噛み合う２つのピニオン２７を配置してもよい（図示省略）。
【産業上の利用可能性】
【００３１】
本発明によれば、くさびによる緊結およびその解除を行うに際に打音の発生しないくさび緊結式足場における緊結装置を提供することが可能である。
【符号の説明】
【００３２】
１０  緊結装置
１１  ソケット金具
１２  差込金具
１３  くさび部材
１９  板バネ
２０，３３，３６  抜け止めピン
２３  凹部
２６  ラック歯
２７  ピニオン
２８  軸部
３０  操作レバー
３８  錘体
ｈ１，ｈ２  貫通穴
Ｐ１  支柱
Ｐ２  足場用部材
Ｓ  貫通空間
【図１】
2018009349.tif 000003
【図２】
2018009349.tif 000004
【図３】
2018009349.tif 000005
【図４】
2018009349.tif 000006
【図５】
2018009349.tif 000007
【図６】
2018009349.tif 000008
【図７】
2018009349.tif 000009
【図８】
2018009349.tif 000010